(57)【要約】【課題】全体の製造作業及び個々の部材の加工作業が簡便であり、しかも、多種多様な形状の要望にも容易に対応することができる木材を提供する。【解決手段】長さ方向に沿って延設された段部２１を有し、対向配置されて外観の主体部分を構成する一対の木製の主体部材２０と、両側部の裏面側に長さ方向に沿って延設された突条３１を有し、前記主体部材２０間に装着され、前記段部２１に前記突条３１を当接して各主体部材２０を連結する連結部材３０とを備える。なお、連結部材３０を、主体部材２０間に埋設状に装着してもよく、各主体部材２０を、間隙を介在させて対向配置してもよく、主体部材２０の裏面にすり割２３を設けてもよい。【選択図】　図１
2004074724.tif 000002
【特許請求の範囲】
【請求項１】
長さ方向に沿って延設された段部を有し、対向配置されて外観の主体部分を構成する一対の木製の主体部材と、
両側部の裏面側に長さ方向に沿って延設された突条を有し、前記主体部材間に装着され、前記段部に前記突条を当接して各主体部材を連結する連結部材と
を備えることを特徴とする木材。
【請求項２】
前記連結部材は、長さ方向に沿って延設された係合部を有し、前記主体部材は、長さ方向に沿って延設された被係合部を有し、前記係合部と前記被係合部との係合によって、連結部材が主体部材間から抜脱不能に装着されていることを特徴とする請求項１に記載の木材。
【請求項３】
前記主体部材と前記連結部材との衝合面には、主体部材と連結部材とに渡って凹設されると共に長さ方向に沿って延設された溝部が設けられており、該溝部に嵌め入れられた嵌入部材によって、連結部材が主体部材間から抜脱不能に装着されていることを特徴とする請求項１に記載の木材。
【請求項４】
前記連結部材は、主体部材間に埋設状に装着されていることを特徴とする請求項１から請求項３までのいずれか一つに記載の木材。
【請求項５】
前記各主体部材は、間隙を介して対向配置されていることを特徴とする請求項１から請求項４までのいずれか一つに記載の木材。
【請求項６】
前記主体部材の裏面には、すり割が設けられていることを特徴とする請求項１から請求項５までのいずれか一つに記載の木材。
【発明の詳細な説明】
【０００１】
【発明の属する技術分野】
本発明は、建築用の資材、土木用の資材、屋外遊具等の各種構築物を構築するための資材、建築物の間仕切りや内装を形成するために材料、家具や各種のインテリアを形成するための材料等として用いられる丸太材、角材、板材等の木材に関する。
【０００２】
【従来の技術】
建築用の資材等の各種材料として用いられる丸太材等の木材は、一般に、無垢の原木を所望の形状に製材して形成される。このような無垢の原木を製材してなる木材では、製材後の木材よりも大径の原木を必要とするため、小径の間伐材や製材により生じた端材等を有効利用することができない。また、大径の丸太材や大寸の角材等の木材では、十分に乾燥させることが困難であり、製材後に大きな歪や割れを生じ易い。
【０００３】
これに対して、複数の木製の部材を一体化することで所望の形状の木材を形成することが、種々案出されている。例えば、特開２００１−５４９０４号公報には、丸太材から切り落とした複数の端材を一体化して角材を形成することが開示されている。このような木材であれば、小径の間伐材や端材を有効利用することができ、また、一体化される個々の部材を薄いものとすることで、個々の部材を十分に乾燥させて、大きな歪や割れを生じ難くすることも容易である。
【０００４】
【発明が解決しようとする課題】
しかしながら、上述の複数の部材を一体化してなる木材では、「各部材の衝合面を接着剤によって接合する」、「各部材の両側に、長さ方向に沿って複数の凹凸部を設け、この凹凸部を嵌合させることによって接合する」、「固定金具の外側に各部材をボルトにより螺子止めすることによって接合する」といった手法によって複数の部材を一体化するに過ぎないものであるため、以下の問題を新たに生じる。
【０００５】
まず、接着剤による接合では、複数の部材を正確に位置合わせして衝合面を付き合わせ、接着剤が完全に硬化するまで、この状態で堅固に保持しておかなければならず、製造作業が煩雑となる。次に、凹凸部を嵌合させる接合では、各部材の長さ方向に複数の凹凸部を形成しなければならず、各部材の加工に際して、複雑な工程を要する。最後に、固定金具を用いた接合では、多様な形状の木材が要望される場合に、木材の形状に応じた多種多様な専用の固定金具を用いなければならず、汎用性に劣る。
【０００６】
本発明は、上記実状を鑑みてなされたものであり、全体の製造作業及び個々の部材の加工作業が簡便であり、しかも、多種多様な形状の要望にも容易に対応することができる木材を提供することを課題とする。
【０００７】
【課題を解決するための手段】
請求項１に記載の発明に係る木材は、長さ方向に沿って延設された段部を有し、対向配置されて外観の主体部分を構成する一対の木製の主体部材と、両側部の裏面側に長さ方向に沿って延設された突条を有し、前記主体部材間に装着され、前記段部に前記突条を当接して各主体部材を連結する連結部材とを備えることを特徴とするものである。
【０００８】
本発明では、一対の木製の主体部材を連結して、全体として、丸太材、角材、板材等の木材を形成するため、個々の主体部材として、間伐材や端材等を利用することが可能である。また、個々の主体部材として厚みの薄いものを採用することもでき、個々の主体部材を、大きな歪や割れが生じないように、十分に乾燥させることも容易である。
【０００９】
ところで、主体部材は木製であり、原木から製材された材木や端材を成形加工（モールディング）して、所望の形状に形成されるのであるが、本発明では、連結部材の突条に当接される段部が、長さ方向に沿って延設されている。よって、成形加工に際して、段部を長さ方向に単に加工するだけの簡便な工程により、形成することが可能である。
【００１０】
また、主体部材と連結部とを連結して全体を一体化する作業は、主体部材の段部に連結部材の突条を当接させるだけの簡便な作業である。よって、一対の主体部材を一体化して、全体で木材を製造する作業は、簡便である。ここで、主体部材間に装着した連結部材を、主体部材間から抜脱不能に固定するためには、接着、螺子止め、相互の係合等、種々の手法を採用することができるが、本発明では、主体部材の段部に連結部材の突条を当接させ、これにより、互いに対向配置された主体部材を離間不能に連結することにより、木材としての所望の形状が確保される。よって、接着による手法を採用したとしても、接着剤が硬化するまで、木材を適宜の形状で堅固に保持させておく必要がなく、製造作業が煩雑となることはない。
【００１１】
さらに、主体部材によって外観の主体部分が構成されるため、共通の連結部材を採用しつつ、形状の異なる主体部材を適宜採用すれば、形状の異なる木材を簡単に形成することが可能となる。特に、一対の主体部材を連結部材によって簡便に一体化し、これにより、完成した木材とすることができるため、市場の要望に応じて、出荷時に、主体部材を一体化して完成した木材とすることができる。よって、多種多様な形状の完成された木材を、多大なスペースを使って無用に在庫として保管しておく必要がなく、有効な在庫管理を行うことができる点で、非常に効果的である。また、工場内の作業ではなく、施工現場等における作業によっても可能な程度に、連結部材による主体部材の一体化作業を簡便化することも容易であり、このように一体化作業を簡便化すれば、出荷先にて一体化するように、主体部材と連結部材とを個別の部品として出荷することも可能となる。
【００１２】
なお、連結部材は、木材の主体部分を構成するものではないため、その材質としては、主体部材とは異なる、例えば廉価な木や、その他、木に限らず、樹脂、金属等、種々の材質を採用することができる。ここで、連結部材の突条は、長さ方向に沿って延設されているため、木により構成する場合には、成形加工に際して、煩雑な工程を要せず形成することができ、また、樹脂や金属により構成する場合であっても、押し出し成形等の簡便な加工によって形成することができる。
【００１３】
請求項２に記載の発明に係る木材は、請求項１に記載の発明に係る木材において、前記連結部材は、長さ方向に沿って延設された係合部を有し、前記主体部材は、長さ方向に沿って延設された被係合部を有し、前記係合部と前記被係合部との係合によって、連結部材が主体部材間から抜脱不能に装着されていることを特徴とするものである。
【００１４】
本発明では、主体部材の被係合部に連結部材の係合部を係合させることにより主体部材間からの連結部材の抜脱が防止されるため、主体部材と連結部材とを堅固に連結することが可能となる。ここで、連結部材の係合部及び主体部材の被係合部は、長さ方向に沿って延設されているため、これらの係合部及び被係合部を形成するに際して、煩雑な工程を要しない。
【００１５】
なお、連結部材の係合部及び主体部材の被係合部の形態は、互いに係合して連結部材の抜脱を防止できる形態であれば特に限定するものではないが、一方を雄側とし他方を雌側として、凹凸係合する態様やアリ溝状に係合する態様等を例示することができる。
【００１６】
また、連結部材の係合部を主体部材の被係合部に係合させるためには、係合部及び被係合部の少なくとも一方を弾性変形自在とすると共に、主体部材間に連結部材を圧入することとし、主体部材間への連結部材の圧入に際して、係合部及び被係合部の少なくとも一方が弾性変形することで、係合部と被係合部とが互いに係合するようにしてもよい。その他、係合部と被係合部とが互いに係合する状態で、主体部材間に連結部材を、長さ方向からスライド挿入することとしてもよい。
【００１７】
さらに、本発明では、係合部と被係合部との係合によってのみ、主体部材間に連結部材を抜脱不能に装着するに限らず、接着剤によって主体部材と連結部材とを接着する手法を付加してもよい。
【００１８】
請求項３に記載の発明に係る木材は、請求項１に記載の発明に係る木材において、前記主体部材と前記連結部材との衝合面には、主体部材と連結部材とに渡って凹設されると共に長さ方向に沿って延設された溝部が設けられており、該溝部に嵌め入れられた嵌入部材によって、連結部材が主体部材間から抜脱不能に装着されていることを特徴とするものである。
【００１９】
本発明では、主体部材と連結部材との衝合面の溝部に嵌入された嵌入部材によって主体部材間からの連結部材の抜脱が防止されるため、主体部材と連結部材とを堅固に連結することが可能となる。ここで、溝部は、主体部材及び連結部材の夫々に、長さ方向に沿って延設されているため、この溝部を形成するに際して、煩雑な工程を要しない。
【００２０】
なお、溝部は、長さ方向に沿って延設されたものであれば、連結部材の抜脱方向を深さ方向として凹設されたものであってもよく、或は、連結部材の抜脱方向とは交差する方向を深さ方向として凹設されたものであってもよい。溝部が、連結部材の抜脱方向を深さ方向として凹設されたものである場合には、溝部と嵌入部材とを、例えばアリ溝状に嵌合させれば、この嵌合によって、主体部材間からの連結部材の抜けを防止することができる。一方、溝部が、連結部材の抜脱方向とは交差する方向を深さ方向として凹設されたものである場合には、この溝部に嵌入された嵌入部材自体によって、主体部材間からの連結部材の抜けを防止することができる。
【００２１】
また、本発明では、主体部材間に連結部材を装着した後に溝部に嵌入部材を嵌入し、この嵌入部材を所謂「くさび」として機能させて、連結部材の抜脱を防止するようにしてもよい。その他、主体部材側または連結部材側の一方側の溝部に予め嵌入部材を嵌入させておき、他方側の溝部または嵌入部材自体を弾性変形させたり、長さ方向からスライド挿入する等して、他方側の溝部に嵌入部材を嵌入させることとしてもよい。
【００２２】
さらに、本発明においても、嵌入部材によってのみ、主体部材間に連結部材を抜脱不能に装着するに限らず、接着剤によって主体部材と連結部材とを接着する手法を付加してもよい。
【００２３】
請求項４に記載の発明に係る木材は、請求項１から請求項３までのいずれか一つに記載の発明に係る木材において、前記連結部材は、主体部材間に埋設状に装着されていることを特徴とするものである。
【００２４】
上述した従来の木材において、凹凸部の嵌合による接合では、部材間の接合部分に凹凸部が露呈し、十分な外観を確保することができない。また、固定金具への螺子止めによる接合では、部材の表面にボルトが露呈することになるため、この接合態様においても、木材の十分な外観を確保することができない。
【００２５】
これに対して、本発明では、主体部材間に連結部材が埋設状に装着されるため、外観の主体部分を構成する主体部材から連結部材が大きく露呈することがなく、当然、主体部材と連結部材との接合部分も、木材の主要な外観部分に大きく露呈することがない。よって、木材としての十分な外観が確保される。
【００２６】
請求項５に記載の発明に係る木材は、請求項１から請求項４までのいずれか一つに記載の発明に係る木材において、前記各主体部材は、間隙を介して対向配置されていることを特徴とするものである。
【００２７】
本発明では、対向配置された一対の主体部材の間に間隙が確保されているため、木材全体としては、中空状のものとなる。よって、木材の重量を軽量化することが可能となるばかりでなく、内部の空間によって、断熱効果、遮音効果を向上させ、また、空気に触れる主体部材の面積が広くなることから、吸湿性及び加湿性を向上させることも可能となる。また、木材全体の断面積は、各主体部材の断面積の総和よりも大きくなるため、小径の間伐材や小寸の端材等の小さな材料にて、大径の丸太材や大寸の角材等を形成することも可能となる。さらに、木材を建材として使用する場合には、内部の空間を、電線や電話線等の配線領域、水道管やガス管等の配管領域として使用することも可能となる。
【００２８】
請求項６に記載の発明に係る木材は、請求項１から請求項５までのいずれか一つに記載の発明に係る木材において、前記主体部材の裏面には、すり割が設けられていることを特徴とするものである。
【００２９】
本発明では、主体部材の裏面にすり割、すなわち「反り止め用の溝」、が設けられているため、主体部材として、厚みのある部材を採用しても、大きな歪や割れを生じ難くすることが可能となる。なお、すり割は、主体部材の裏面に設けられるため、すり割によって、木材の外観に支障を来すことはない。また、連結部材も木製とする場合には、この連結部材の裏面にもすり割を設けることとするのが好適である。
【００３０】
【発明の実施の形態】
本発明に係る木材の実施形態としての一例を、以下に、図面に基づいて詳細に説明する。
【００３１】
図１に示すように、本例の木材１０は、対向する一対の主体部材２０と、各主体部材２０を連結する連結部材３０と組み付けて、全体として長さが０．５〜４ｍ程度の長尺状の丸太材を構成するものである。ここで、主体部材２０は、木製であり、杉、檜等の原木や間伐材、他の木材の製材時に生じた端材等から形成されている。また、連結部材３０も、主体部材２０と同種の木製としてある。なお、連結部材３０を、主体部材２０とは異種の木製としてもよく、その他、樹脂製や金属製としてもよい。
【００３２】
主体部材２０は、一側が原木の外形を生かした円弧状に形成され、他側が平滑状に形成されており、円弧状の一側面を表面とし、平滑状の他側面を裏面として、対向配置されている。ここで、他側面には、長さ方向にすり割２３が設けられており、主体部材２０自体が、大きな歪や割れを生じ難いものとなっている。
【００３３】
連結部材３０は、対向する一対の主体部材２０間に装着されて、各主体部材２０を連結するものである。ここで、本例の木材１０は、ログハウス等の建築物を構築するため等の材料として用いられる丸太材であり、丸太材の外観を生かして複数が連設されるものである。そこで、本例では、木材１０の外観の主体面１１を、主体部材２０の円弧状の表面により構成し、複数の木材１０を連設する連設面１２を、主体部材２０の側面、及び、主体部材２０間に装着された連結部材３０の表面によって構成している。ここで、連結部材２０は、連設面１２において、主体部材２０間に埋設状に装着されており、複数の木材１０を連設した状態では、連結部材３０が外観として露呈されない。よって、連結部材３０を構成する材質として、主体部材２０とは異種の材質を積極的に採用することができる。
【００３４】
なお、木材１０を連設する場合には、連設面１２間に接続部材６０を介在させ、これにより、連設された各木材１０に位置ずれを生じ難くする。よって、本例では、連結部材２０の表面に、接続部材６０を装着するための装着凹部３５が設けられている。しかしながら、木材１０を単独で使用する場合には、連結部材３０の表面を平滑面としてもよい。また、図示は省略するが、対向する二つの連結部材３０の内の一方に雄側の嵌合部を設け、他方に雌側の嵌合部を設けて、複数の木材１０を連設するに際して、連設面１２に露呈された連結部材３０の雄側の嵌合部に、他の木材における連結部材３０の雌側の嵌合部を嵌合することとしてもよい。
【００３５】
主体部材２０には、長さ方向に沿った溝の一側面により構成された段部２１が延設されており、連結部材３０には、その両側の裏面側に、長さ方向に沿って突条３１が延設されている。そして、対向配置された主体部材２０間に連結部材３０を装着した状態では、各主体部材２０の段部２１に連結部材３０の各突条３１が当接することで、各主体部材２０が離間不能に固定されている。また、連結部材３０の裏面側には、両側の突条３１間に介在部３４が突設されており、連結部材３０を装着した状態では、各主体部材２０間に連結部材３０の介在部３４が介在され、これにより、各主体部材２０の間に間隙が確保されている。さらに、連結部材３０の介在部３４の先端部分には、長さ方向に延設された鉤状の係合部３２が形成されており、主体部材２０の裏面には、長さ方向に延設された突起状の被係合部２２が形成されている。そして、主体部材２０間に連結部材３０を装着した状態では、連結部材３０の係合部３２が主体部材２０の被係合部２２に係合することで、主体部材２０間からの連結部材３０の抜けが防止されている。
【００３６】
ところで、連結部材３０の裏面には、最も厚い部位を構成する介在部３４に、長手方向にすり割３３が設けられている。このすり割３３は、連結部材３０自体に大きな歪や割れを生じ難くすると共に、係合部３２を弾性変形し易くするものである。よって、本例の木材１０では、主体部材２０間に連結部材３０を装着する態様として、図２に示すように、主体部材２０の側方から連結部材３０を圧入することができる。なお、このような圧入に限らず、主体部材２０の段部２１に連結部材３０の突条３１が当接し、且つ、連結部材３０の係合部３２が主体部材２０の被係合部２２に係合した状態で、主体部材２０間に連結部材３０を、長さ方向からスライド挿入することも可能である。また、主体部材２０や連結部材３０は、木製であるため、連結後に歪が生じるのは免れないのであるが、歪が生じると支障を来すのではなく、逆に、主体部材２０の段部２１に連結部材３０の突条３１が強く当接されることになるため、主体部材２０と連結部材３０との連結状態がより堅固となる。よって、接着等による接合は不要であるが、主体部材２０と連結部材３０との衝合面を接着剤によって接着し、これにより、主体部材２０と連結部材３０とを補助的に接合してもよい。
【００３７】
上記例では、木材１０としての丸太材を例示したが、本発明に係る木材１０は、丸太材に限らない。例えば、図３に示すように、角材であってもよい。この木材１０では、連結部材３０として、上記例と同様のものを採用し、一対の二つの主体部材２０として、上記例とは異なる形状のものを採用している。すなわち、各主体部材２０として、表面が平滑状のものを採用している。なお、主体部材２０として、幅広のものを採用すれば、木材１０としての板材を形成することができる。また、図４に示すように、一方の主体部材２０として、表面が円弧状のものを採用し、他方の主体部材２０として、表面が平滑状のものを採用すれば、半円孤状の木材１０を形成することができる。
【００３８】
また、上記例では、連結部材３０に係合部３２を設け、主体部材２０に被係合部２２を設けて、係合部３２と被係合部２２とを係合させることで、連結部材３０の抜けを防止したが、これに限らず、図５に示すように、別途の部材によって連結部材３０の抜けを防止することしてもよい。
【００３９】
図５に示す木材１０では、主体部材２０と連結部材３０との衝合面に溝部４０が設けられており、この溝部４０に嵌め入れられた嵌入部材５０によって、連結部材３０の抜けが防止されている。これを以下に具体的に説明する。なお、この木材１０では、連結部材３０の抜けを防止するための構造の他は、上記例と同様であり、図面に同一の符号を付すことにより、その詳細な説明を省略する。
【００４０】
嵌入部材５０は、側方から主体部２０間に装着された連結部材３０の抜けを防止するものであり、連結部材２０の抜け方向に沿った主体部材２０と連結部材３０との衝合面に設けられた溝部４０に嵌め入れられている。ここで、主体部材２０には、他の主体部材２０との対向面に、長さ方向に溝部４１が延設されており、連結部材３０には、主体部材２０の溝部４１に対向する溝部４２が、同じく、長さ方向に延設されている。そして、主体部材２０の溝部４１と、連結部材３０の溝部４２とで、全体の溝部４０が構成され、この溝部４０に嵌入部材５０を嵌め入れることで、連結部材３０の抜けが防止されている。
【００４１】
さらに、本発明に係る木材は、上述した各例のように、略平行に対向配置された一対の主体部材２０間に一対の連結部材３０を装着して、全体として一体的に組み付けられたものに限らず、例えば図６に示すような木材１０であってもよい。この木材１０では、一対の主体部材７０，７１が、例えば６０°等の適宜角度をなすように対向配置されており、一端側が互いに離間不能に連結されている。具体的に、一方の主体部材７０の一端側及び他方の主体部材７１の一端側の夫々には、嵌合部７２，７３が設けられており、各嵌合部７２，７３が互いに凹凸状に嵌合して、一方の主体部材７０と他方の主体部材７１とが離間不能に連結されている。なお、一方の主体部材７０と他方の主体部材７１とを連結するに際しては、各主体部材７０，７１を長手方向に互いにスライドさせて、各嵌合部７２，７３が嵌合するようにしてもよく、或は、各主体部材７０，７１の嵌合部７２，７３を互いに衝合させると共に主体部材７０，７１の一方を傾斜させて、各嵌合部７２，７３が嵌合するようにしてもよい。
【００４２】
このように一端側が互いに連結された一対の主体部材７０，７１の他端側には、連結部材８０が装着されており、この連結部材８０により各主体部材７０，７１の他端側が離間不能に連結され、これにより、全体として一体的な木材１０が構成されている。なお、細部の構造については、上述の各例と同様であり、図面に同一の符号を付すことにより、詳細な説明は省略する。
【００４３】
本例では、各主体部材７０，７１及び連結部材８０として平板状のものを採用しており、全体を組み付けると、木材１０として、断面が略三角形状の角材が形成されるが、これに限らず、各主体部材７０，７１や連結部材８０の形状を適宜変更することで、断面が略円形の丸太材、断面が略方形の角材等、種々の木材１０を形成することもできる。
【００４４】
【発明の効果】
以上詳細に説明した本発明によれば、以下の効果を得ることができる。
【００４５】
請求項１の発明によれば、全体の製造作業及び個々の部材の加工作業が簡便であり、しかも、多種多様な形状の要望にも容易に対応することができる木材とすることができる。
【００４６】
請求項２及び請求項３の発明によれば、主体部材と連結部材とを堅固に連結することができる。
【００４７】
請求項４の発明によれば、木材としての十分な外観を確保することができる。
【００４８】
請求項５の発明によれば、木材全体の軽量化を図ることができ、断熱効果、遮音効果、吸湿性及び加湿性を向上させることができ、小径の間伐材や小寸の端材等の小さな材料によって大径の丸太材や大寸の角材等を形成することができ、さらに、内部の空間を配線領域や配管領域として使用することもできる。
【００４９】
請求項６の発明によれば、主体部材として、厚みのある部材を採用しても、大きな歪や割れが生じ難くすることができる。
【図面の簡単な説明】
【図１】本発明に係る木材の一例を示す断面正面図である。
【図２】図１に示した木材を形成する状態を示す断面正面図である。
【図３】本発明に係る木材の別例を示す断面正面図である。
【図４】本発明に係る木材の別例を示す断面正面図である。
【図５】本発明に係る木材の別例を示す断面正面図である。
【図６】本発明に係る木材の別例を示す断面正面図である。
【符号の説明】
１０　木材
２０　主体部材
２１　段部
２２　被係合部
２３　すり割
３０　連結部材
３１　突条
３２　係合部
３３　すり割
３４　介在部
３５　装着凹部
４０　溝部
４１　溝部
４２　溝部
５０　嵌入部材
６０　接続部材
７０　主体部材
７１　主体部材
７２　嵌合部
７３　嵌合部
８０　連結部材
【図１】
2004074724.tif 000003
【図２】
2004074724.tif 000004
【図３】
2004074724.tif 000005
【図４】
2004074724.tif 000006
【図５】
2004074724.tif 000007
【図６】
2004074724.tif 000008